(57)【特許請求の範囲】
【請求項１】
デッキプレートＤの上面に断熱材Ｂを敷設し、この断熱材Ｂを、上面に接着性樹脂ａを有する導電材からなるディスク板１に通したアンカービス２をデッキプレートＤにねじ込むことにより固定し、前記断熱材Ｂの上面全域に防水シートＳを張り、その防水シートＳ上から電磁誘導加熱により、前記ディスク板１を加熱し、この熱により溶けた前記接着性樹脂ａでもって前記防水シートＳを前記ディスク板１に接着固着した防水屋根構造であって、
上記断熱材Ｂの継目ｂ全長に亘り封止テープＴを張って、その断熱材Ｂの継目ｂを風が通らないように封止するとともに、上記ディスク板１を前記断熱材Ｂの継目ｂを跨がしたことを特徴とする防水屋根構造。
【請求項２】
デッキプレートＤの上面に断熱材Ｂを敷設し、この断熱材Ｂを、上面に接着性樹脂aを有する導電材からなるディスク板１に通したアンカービス２をデッキプレートＤにねじ込むことにより固定し、前記断熱材Ｂの上面全域に防水シートＳを張り、その防水シートＳ上から電磁誘導加熱により、前記ディスク板１を加熱し、この熱により溶けた前記接着性樹脂ａでもって前記防水シートＳを前記ディスク板１に接着固着した防水屋根構造であって、
上記断熱材Ｂの下面全域にシートＳ’を張って、その断熱材Ｂの継目ｂを風が通らないように封止するとともに、上記ディスク板１を前記断熱材Ｂの継目ｂを跨がしたことを特徴とする防水屋根構造。
【請求項３】
デッキプレートＤの上面に断熱材Ｂを複数層に敷設し、その断熱材Ｂの上面に防水シートＳを張設した防水屋根構造であって、上記複数層の断熱材Ｂの少なくとも一つの層間にシートＳ’を介在して、断熱材Ｂの継目ｂを風が通らないように封止したことを特徴とする防水屋根構造。
【発明の詳細な説明】
【０００１】
【発明の属する技術分野】
この発明は、デッキプレートの上面に断熱材を敷設し、その断熱材の上面に防水シートを張設した防水屋根構造に関する。
【０００２】
【従来の技術】
デッキプレートを下地とした従来の一般的な屋根構造は、図８に示すように、デッキプレートＤの上面にコンクリートＣを打設し、その上に防水シートＳを張設して、アンカーボルトＲにより固定したものである。
【０００３】
このコンクリート打設の屋根構造は、コンクリートＣの打設・養生のための時間が必要であり、施工日数を多く必要とする。また、コンクリートＣは重く、近年の軽量化には向いていない。
【０００４】
このため、図９に示すように、デッキプレートＤの上面に断熱材Ｂを敷設し、その上に防水シートＳを張設し、その防水シートＳと断熱材ＢをアンカーねじｒでデッキプレートＤに固定した防水屋根構造が提案されている。
【０００５】
この断熱材の屋根構造は、コンクリートの打設・養生時間を必要とせず、また、軽量となる利点がある。
【０００６】
【発明が解決しようとする課題】
上記断熱材Ｂを使用した屋根構造において、その断熱層は断熱パネルなどの一定の大きさの断熱材Ｂを継ぎ合わせて構成される。一方、デッキプレートＤも一定幅のものを継ぎ合わせて構築される。このため、デッキプレートＤの継目及び断熱材Ｂの継目から防水シートＳの裏面、すなわち防水シートＳと断熱材Ｂの間に空気が吹き上げて防水シートＳがまくれたり、剥れたりする。
【０００７】
この現象は、防水シートＳの張設時に生じれば、防水シートＳを円滑かつ正確に張設することができず、張設後に生じれば、防水効果の劣化を招く。とくに、防水シートＳを一定間隔ポイントで固着する、いわゆる絶縁工法により固着する場合には、このまくれ等の現象は大きな問題となる。
【０００８】
この発明は、断熱材を使用した防水屋根構造において、その防水シートのまくれ及び剥れを防止することを課題とする。
【０００９】
【課題を解決するための手段】
上記課題を達成するために、この発明は、上記断熱材の継目を風が通らないようにしたのである。
【００１０】
風が断熱材の継目を通り抜けなければ、防止シートと断熱材の間に空気が入り込んで、防水シートがまくれ上がったり、剥れることはない。
【００１１】
【発明の実施の形態】
上記断熱材の継目封止手段としては、断熱材の継目全長に亘り封止テープを張ったり、断熱材の下面全域にシートを張ったり、断熱材を複数層にした場合には、その上下の断熱材の継目が重ならないようにしたり、その少なくとも一つの層間にシートを介在した構成を採用し得る。
【００１２】
複数層の場合にも、封止テープを採用し得ることは勿論であり、また、テープの貼着、シートの介在を行うときでも、継目は重ならないようにすることが好ましい。
【００１３】
【実施例】
図１、図２に一実施例を示し、この実施例は、デッキプレートＤの上に、ウレタン変性イソシアレートフォーム（ＪＩＳＡ９５１１発泡プラスチック保温材）からなる断熱材（パネル）Ｂを敷設し、この断熱材Ｂを、導電材からなるディスク板１に通したアンカービス２をデッキプレートＤにねじ込むことにより固定する。このとき、断熱材ＢはデッキプレートＤに仮止めするとよい。その断熱材Ｂの敷設時、断熱材Ｂの継目全長に亘り封止テープＴを貼着して封止する。テープＴは下面ではなく、上面に貼着してもよく、また、両面に貼着することもできる。また、ディスク板１を断熱材Ｂ、Ｂに跨がすと、断熱材Ｂの縁の押さえ作用を果す。
【００１４】
つぎに、塩化ビニル（ＰＶＣ）製防水シートＳを断熱材Ｂの上面全域に張り、その十分な位置決めやカッティングによる微調整を行った後、防水シートＳ上からディスク板１上に溶着工具を当てる。この溶着工具は内部に誘導コイルが設けられており、誘導コイルは、交番電流により励磁され、その発生磁界の電磁誘導作用により、ディスク板１にうず電流を生じさせる。このため、ディスク板１はうず電流損により発熱し、上面の接着性樹脂ａが溶けて、防水シートＰを接着する。防水シートＳの継目は液シールｔで接合する。
【００１５】
図３は他の実施例を示し、この実施例は、断熱材Ｂの下面全域にシートＳ’を張って、継目ｂの封止を行ったものである。シートＳ’は、耐候性があって、封止作用を行い得れば、いずれの材質のものでもよい。
【００１６】
図４、図５にはさらに他の実施例を示し、この実施例は、断熱層を２層にし、その上下の断熱材Ｂの継目ｂが重ならないようにしたものである。層数は任意である。
【００１７】
図６、図７の実施例は、同じく複数層の場合であり、図６は層間にシートＳ’を介在し、図７は継目に封止テープＴを貼着したものである。これらのものの場合、上下の継目ｂは重なってもよいが、重ならない方が好ましい。
【００１８】
なお、断熱層が複数層の場合、全ての層を断熱層とする必要はない。また、防水シートＳの固定は、電磁誘導以外の種々の手段を採用でき、例えば、接着剤の全面又は部分張り、図８で示す、防水シートＳの上面からのアンカーボルトＲ止め等とし得る。さらに、断熱材ＢをデッキプレートＤに固定し、ディスク板１は断熱材Ｂにのみに固定するようにもし得る。
【００１９】
【発明の効果】
この発明は、断熱材の継目から空気が防水シートと断熱材の間に吹き上がらないようにしたので、防水シートの施工性がよく、また、防水シートのまくれ・剥れによる防水劣化も招きにくい。
【図面の簡単な説明】
【図１】一実施例の要部斜視図
【図２】同実施例の要部切断正面図
【図３】他の実施例の要部切断正面図
【図４】他の実施例の概略平面図
【図５】同実施例の要部斜視図
【図６】他の実施例の要部切断正面図
【図７】他の実施例の要部切断正面図
【図８】従来例の要部切断正面図
【図９】従来例の要部切断正面図
【符号の説明】
１  ディスク板
２  アンカービス
Ｂ  断熱材（パネル）
Ｃ  コンクリート
Ｄ  デッキプレート
Ｓ  防水シート
Ｓ’  継目遮蔽シート
Ｔ  封止テープ
ｂ  継目
【図１】
0003787432.tif 000002
【図２】
0003787432.tif 000003
【図３】
0003787432.tif 000004
【図４】
0003787432.tif 000005
【図５】
0003787432.tif 000006
【図６】
0003787432.tif 000007
【図７】
0003787432.tif 000008
【図８】
0003787432.tif 000009
【図９】
0003787432.tif 000010